(57)【特許請求の範囲】
【請求項１】
外周に複数種類の図柄が配列されたリールと、当選役抽選を行って複数種類の当選役のいずれかまたはハズレを決定する当選役決定手段と、リールの回転を停止させるためのストップボタンとを備え、遊技開始に伴ってリールの回転を開始させるとともに当選役抽選を行い、リールの回転が停止したときに予め設定された複数の入賞有効ラインのうちいずれかの入賞有効ライン上に当選役抽選で決定された当選役に対応する図柄が表示されることによってこの当選役が入賞となった場合に、入賞した当選役に対応付けされた処理を実行する遊技機において、
前記当選役として、入賞した際に通常モードよりも遊技者にとって有利となる有利モードへと移行させる複数種類のボーナス役を設け、
前記図柄として、各当選役に対応する当選役図柄と、前記当選役図柄とは異なる特定図柄とを設けるとともに、
前記当選役抽選で前記ボーナス役のいずれかが決定された場合、決定されたボーナス役に対応付けされた入賞有効ライン上に前記特定図柄が停止するように、前記リールの停止制御を行う停止制御手段を設け、
前記リールは複数設けられ、前記ストップボタンは複数設けられており、各リールは対応するストップボタンの操作により個別に停止され、
前記停止制御手段は、前記当選役図柄を入賞有効ライン上に停止させることができる場合には、入賞有効ライン上に停止するように前記リールの停止制御を行うとともに、前記当選役抽選で前記ボーナス役のいずれかが決定された場合であり、かつ、前記当選役図柄を入賞有効ライン上に停止させることができない場合にも、決定されたボーナス役に対応付けされた入賞有効ライン上に決定されたボーナス役に対応する前記特定図柄が停止するように、前記リールの停止制御を行うことによって、既に停止済みのリールにおいて入賞有効ライン上に前記ボーナス役に対応する当選役図柄が停止された状態で、入賞有効ライン上に前記ボーナス役に対応する当選役図柄が停止できないときに、決定されたボーナス役に対応付けされた入賞有効ライン上に決定されたボーナス役に対応する前記特定図柄が停止するように停止制御が行われるようにしたことを特徴とする遊技機。
【請求項２】
前記停止制御手段は、前記当選役抽選で決定されたボーナス役の種類に基づいて、前記特定図柄を停止させる入賞有効ラインの種類及び本数を決定することを特徴とする請求項１記載の遊技機。
【請求項３】
前記停止制御手段は、前記ストップボタンが操作されたときに、予め設定された引き込み範囲内に前記特定図柄が存在する場合に、前記当選役抽選で決定されたボーナス役の種類に対応する入賞有効ライン上に前記特定図柄を停止させるとともに、
前記ストップボタンの操作タイミングに関わらず、前記特定図柄が常に前記引き込み範囲内に存在するように、前記リールを構成したことを特徴とする請求項１または２記載の遊技機。
【請求項４】
前記停止制御手段は、前記ストップボタンが操作されたときに、予め設定された引き込み範囲内に前記特定図柄が存在する場合に、前記当選役抽選で決定されたボーナス役の種類に対応する入賞有効ライン上に前記特定図柄を停止させるとともに、
前記ストップボタンの操作タイミングによって、前記特定図柄が前記引き込み範囲内に存在する場合と、前記特定図柄が前記引き込み範囲内に存在しない場合とが発生するように、前記リールを構成したことを特徴とする請求項１または２記載の遊技機。
【発明の詳細な説明】
【技術分野】
【０００１】
本発明は、パチンコ店などの遊技場で用いられるスロットマシンなどの遊技機に関するものである。
【背景技術】
【０００２】
スロットマシンでは、遊技媒体としてメダルが用いられ、このメダルをベット（投入）した後、スタートレバーを操作することで遊技が開始される。遊技が開始されると当選役抽選が行われ、複数種類の当選役のいずれかまたはハズレが決定されるとともに、外周に複数種類の図柄が配置されたリールが回転を開始する。回転中のリールはストップボタンを操作することで停止させることができる。そして、スロットマシンでは、リールが停止した際に当選役抽選により決定された当選役（当選役抽選に当選した当選役）に対応する図柄が入賞有効ライン上に表示されると、すなわち、当選役抽選により決定された当選役が入賞すると、入賞した当選役に対応付けされた処理が実行される。
【０００３】
当選役としては、例えば、入賞した際に遊技者にとって有利となるＲＢ（レギュラーボーナス）モード（有利モード）へ移行するＲＢや、ＲＢモードよりもより遊技者にとって有利となるＢＢ（ビックボーナス）モード（有利モード）へ移行するＢＢなどのボーナス役、入賞した際にメダルの払い出しが行われる小役、入賞した際にメダルの投入なしに次回の遊技を可能とするリプレイなどが設けられている。一般に、ボーナス役は入賞するまで入賞の権利が持ち越されるようになっており、ボーナス役が当選した遊技においてボーナス役を入賞させることができなくても、次回以降の遊技においてボーナス役を入賞させることができる。
【０００４】
しかし、ボーナス役が当選したことが報知されないと、ボーナス役が当選したことや当選したボーナス役の種類が分からず、ボーナス役を入賞させるように遊技を行わなかったり、当選ボーナス役とは異なるボーナス役を入賞させようとしてしまうことで、当選したボーナス役が入賞しない状態が続き、当選したボーナス役を入賞させるまでに多くのメダルを失ってしまうといった問題があった。このため、下記特許文献１には、当選したボーナス役の種類を報知するためのサブリールを設けた例が記載されている。
【特許文献１】特開２００２−１４３３９５
【発明の開示】
【発明が解決しようとする課題】
【０００５】
しかしながら、上記特許文献１記載の装置では、サブリールを設けるためにコストが上がってしまうといった問題があった。
【０００６】
本発明は、上記背景を鑑みてなされたものであり、コストをかけずに当選したボーナス役の種類を報知できる遊技機を提供することを目的としている。
【課題を解決するための手段】
【０００７】
上記目的を達成するために、本発明の遊技機は、外周に複数種類の図柄が配列されたリールと、当選役抽選を行って複数種類の当選役のいずれかまたはハズレを決定する当選役決定手段と、リールの回転を停止させるためのストップボタンとを備え、遊技開始に伴ってリールの回転を開始させるとともに当選役抽選を行い、リールの回転が停止したときに予め設定された複数の入賞有効ラインのうちいずれかの入賞有効ライン上に当選役抽選で決定された当選役に対応する図柄が表示されることによってこの当選役が入賞となった場合に、入賞した当選役に対応付けされた処理を実行する遊技機において、前記当選役として、入賞した際に通常モードよりも遊技者にとって有利となる有利モードへと移行させる複数種類のボーナス役を設け、前記図柄として、各当選役に対応する当選役図柄と、前記当選役図柄とは異なる特定図柄とを設けるとともに、前記当選役抽選で前記ボーナス役のいずれかが決定された場合、決定されたボーナス役に対応付けされた入賞有効ライン上に前記特定図柄が停止するように、前記リールの停止制御を行う停止制御手段を設け、前記リールは複数設けられ、前記ストップボタンは複数設けられており、各リールは対応するストップボタンの操作により個別に停止され、前記停止制御手段は、前記当選役図柄を入賞有効ライン上に停止させることができる場合には、入賞有効ライン上に停止するように前記リールの停止制御を行うとともに、前記当選役抽選で前記ボーナス役のいずれかが決定された場合であり、かつ、前記当選役図柄を入賞有効ライン上に停止させることができない場合にも、決定されたボーナス役に対応付けされた入賞有効ライン上に決定されたボーナス役に対応する前記特定図柄が停止するように、前記リールの停止制御を行うことによって、既に停止済みのリールにおいて入賞有効ライン上に前記ボーナス役に対応する当選役図柄が停止された状態で、入賞有効ライン上に前記ボーナス役に対応する当選役図柄が停止できないときに、決定されたボーナス役に対応付けされた入賞有効ライン上に決定されたボーナス役に対応する前記特定図柄が停止するように停止制御が行われるようにしたことを特徴としている。
【０００８】
前記停止制御手段は、前記当選役抽選で決定されたボーナス役の種類に基づいて、前記特定図柄を停止させる入賞有効ラインの種類及び本数を決定することが好ましい。
【０００９】
また、前記停止制御手段は、前記ストップボタンが操作されたときに、予め設定された引き込み範囲内に前記特定図柄が存在する場合に、前記当選役抽選で決定されたボーナス役の種類に対応する入賞有効ライン上に前記特定図柄を停止させるとともに、前記ストップボタンの操作タイミングに関わらず、前記特定図柄が常に前記引き込み範囲内に存在するように、前記リールを構成してもよい。
【００１０】
さらに、前記停止制御手段は、前記ストップボタンが操作されたときに、予め設定された引き込み範囲内に前記特定図柄が存在する場合に、前記当選役抽選で決定されたボーナス役の種類に対応する入賞有効ライン上に前記特定図柄を停止させるとともに、前記ストップボタンの操作タイミングによって、前記特定図柄が前記引き込み範囲内に存在する場合と、前記特定図柄が前記引き込み範囲内に存在しない場合とが発生するように、前記リールを構成してもよい。
【発明の効果】
【００１１】
本発明によれば、各当選役に対応する当選役図柄とは異なる特定図柄をリールに配列し、特定図柄の停止位置によって当選したボーナス役の種類を報知するようにしたので、サブリールなど、当選したボーナス役を報知するための新たな装置を設ける必要がない。このため、コストをかけずに当選したボーナス役の種類を報知できる。
【発明を実施するための最良の形態】
【００１２】
図１に示すように、スロットマシン（遊技機）１１は、スロットマシン本体１２と前面扉１３とを備えている。スロットマシン本体１２は収納箱１２ａを備えている。収納箱１２ａにはリールや制御基板など、遊技を実行するための各種装置が収納されている。前面扉１３は、上扉１３ａと下扉１３ｂとからなり、収納箱１２ａは上扉１３ａ及び下扉１３ｂによって開閉される。
【００１３】
上扉１３ａには表示窓１４が設けられている。表示窓１４の奥には第１リール１５ａ、第２リール１５ｂ、第３リール１５ｃが設けられている。各リール１５ａ〜１５ｃの外周面には複数種類の図柄が配列されており、リールが停止すると表示窓１４を通して１リール当たり３個の図柄が表示される。スロットマシン１１では、上段、中段、下段の横３本と斜め２本とからなる計５本の入賞有効ライン１６が設定されている。そして、第１〜第３リール１５ａ〜１５ｃが停止したときに入賞有効ライン１６上に停止した図柄の組み合わせによって当選役が入賞したか否かが表示される。
【００１４】
下扉１３ｂには、遊技の開始に先立ってメダルを投入するメダル投入口１９、第１〜第３リール１５ａ〜１５ｃの回転を開始させて図柄の変動表示を行わせるスタートレバー２０、回転しているリールを停止させるストップボタン２１ａ、２１ｂ、２１ｃ、メダルを払い出す払い出し口２２、払い出し口２２から払い出されたメダルを受けるメダルをメダル受け皿２３などが設けられている。
【００１５】
スロットマシン１１では、メダル投入口１９に３枚のメダルを投入すると、５本の入賞有効ライン１６が有効化されるとともに、スタートレバー２０の操作が有効化される。そして、この有効化の後にスタートレバー２０が押下されると当選役抽選が行われて複数種類の当選役のいずれか又はハズレが決定される。
【００１６】
当選役には、入賞すると次遊技をメダルの投入なしに行うことができるリプレイ、入賞すると規定枚数のメダルが払い出される小役、入賞すると通常モードよりもペイアウト率（１枚のメダル投入に対して払い出されるメダルの枚数の割合）が高いボーナスモード（有利モード）へ移行するボーナス役が設けられている。
【００１７】
ボーナス役は、「赤７」、「青７」、「ＢＡＲ」とからなる。「赤７」は、入賞有効ライン１６上に図柄「赤７」が３つ並べて表示された際に入賞となる。また、「青７」は、入賞有効ライン１６上に図柄「青７」が３つ並べて表示された際に入賞となる。さらに、「ＢＡＲ」は、入賞有効ライン１６上に図柄「ＢＡＲ」が３つ並べて表示された際に入賞となる。
【００１８】
そして、「赤７」が入賞すると第１ボーナスモードへと移行し、「青７」が入賞すると第２ボーナスモードへと移行し、「ＢＡＲ」が入賞すると第３ボーナスモードへと移行する。第１〜第３の各ボーナスモードは、それぞれのモード毎に設定された上限枚数（例えば、第１ボーナスモードでは４００枚、第２ボーナスモードでは３００枚、第３ボーナスモードでは１００枚）のメダルが払い出された際に終了する。
【００１９】
スロットマシン１１では、上述した図柄「赤７」、図柄「青７」、図柄「ＢＡＲ」など各ボーナス役に対応するボーナス図柄に加え、リプレイに対応する図柄、小役に対応する図柄が、各リール１５ａ〜１５ｃに配列されている。さらに、各リール１５ａ〜１５ｃには、前述のボーナス図柄、リプレイに対応する図柄、小役に対応する図柄などの当選役に対応する図柄（当選役図柄）に加え、「ブランク図柄（特定図柄）」が配列されている。そして、後述するように、スロットマシン１１では、この「ブランク図柄」の停止位置によってボーナス役が当選したか否か、及び、当選したボーナス役の種類が報知される。
【００２０】
図２に示すように、スロットマシン１１の動作は制御基板３１によって管制される。制御基板３１は、ＣＰＵ３２とメモリ３３とを備えている。ＣＰＵ３２は、制御部（停止制御手段）３４を備え、この制御部３４によって動作が管制される。
【００２１】
メモリ３３には、ＲＯＭ領域とＲＡＭ領域とが設けられている。メモリ３３のＲＯＭ領域には、遊技の実行処理で使用される遊技実行プログラムや遊技実行データ、各種設定情報などが記憶されている。他方、メモリ３３のＲＡＭ領域は、作業用メモリとして用いられ、当選役抽選の結果を示すフラグなど、スロットマシン１１の制御に必要な情報が一時的に記憶される。制御部３４は、メモリ３３に記憶された情報に基づいてスロットマシン１１の各部の駆動制御を行う。
【００２２】
メダルセンサ３５はメダル投入口１９から投入されたメダルを検知し、メダルの検知信号を制御部３４に入力する。スタート信号センサ３６はスタートレバー２０が押下されたことを検知し、遊技スタート信号を制御部３４に入力する。制御部３４は、３枚のメダルが投入された後に遊技スタート信号が入力されるとこれを受け付ける。そして、制御部３４は、遊技スタート信号に応答して当選役決定部（当選役決定手段）３７を作動させる。
【００２３】
当選役決定部３７には通常モード用の抽選テーブル、各ボーナスモードに対応するボーナスモード用の抽選テーブルなど、遊技モードに応じた複数種類の抽選テーブルが設けられている。当選役抽選では、抽選の際に抽出された乱数値が現在の遊技モードに対応する抽選テーブルと照合され、照合した乱数値に割り当てられた当選役又はハズレを識別することによって、当選役の種類又はハズレが決定される。
【００２４】
当選役抽選でいずれかの当選役に当選した場合は、その種類を示す当選フラグがメモリ３３のＲＡＭ領域に書き込まれ、ハズレとなった場合はハズレフラグが書き込まれる。ボーナス役に当選したことを示す当選フラグは、対応するボーナス役が入賞したときにクリアされ、それ以外の当選フラグは遊技が終了したときにクリアされる。
【００２５】
当選役抽選が終了すると各リール１５ａ〜１５ｃが一斉に回転を開始する。この後、ストップボタン２１ａ〜２１ｃが押下されるとストップ信号センサ３８からストップ信号が制御部３４に入力される。これに応答し、制御部３４は、リール駆動コントローラ３９を作動して、押下されたストップボタンに対応するリールの停止制御を行う。
【００２６】
制御部３４は、停止制御として周知の引き込み制御を行う。引き込み制御では、ストップボタン２１ａ〜２１ｃが押下されたときの入賞有効ライン１６上の図柄を含む０〜４コマ分の図柄の範囲、すなわち、図柄５コマ分の範囲が引き込み範囲として設定されている。そして、制御部３４は、ストップボタン２１ａ〜２１ｃが操作されたときに当選役抽選で決定された当選役に対応する当選役図柄が引き込み範囲内に存在する場合、この当選役図柄が入賞するように、すなわち、この当選役図柄がいずれかの入賞有効ライン１６上に並べて表示されるように、操作されたストップボタンに対応するリールの回転を停止させる。
【００２７】
また、制御部３４は、図３に示すように、ボーナス役「赤７」が当選しているにも関わらず入賞させることができない場合、すなわち、ストップボタンの操作時に図柄「赤７」が引き込み範囲内に存在しない場合、及び、停止済みのリールの状態からボーナス役「赤７」の非入賞が確定している場合、「ブランク図柄」が上段の入賞有効ライン１６上に停止するように、操作されたストップボタンに対応するリールの停止制御を行う（「ブランク図柄」を上段の入賞有効ライン１６上に引き込んで停止させる）。
【００２８】
さらに、制御部３４は、図４に示すように、ボーナス役「青７」が当選しているにも関わらず入賞させることができない場合、「ブランク図柄」が中段の入賞有効ライン１６上に停止するように、操作されたストップボタンに対応するリールの停止制御を行う（「ブランク図柄」を中段の入賞有効ライン１６上に引き込んで停止させる）。
【００２９】
また、制御部３４は、図５に示すように、ボーナス役「ＢＡＲ」が当選しているにも関わらず入賞させることができない場合、「ブランク図柄」が下段の入賞有効ライン１６上に停止するように、操作されたストップボタンに対応するリールの停止制御を行う（「ブランク図柄」を下段の入賞有効ライン１６上に引き込んで停止させる）。
【００３０】
このように、スロットマシン１１では、ボーナス役が当選しているにも関わらず、このボーナス役を入賞させることができない場合、当選したボーナス役に対応する入賞有効ライン１６上に「ブランク図柄」を引き込んで停止させる。このため、遊技者は、ボーナス役が当選したか否か、及び、当選したボーナス役の種類を知ることができる。
【００３１】
なお、スロットマシン１１では、「ブランク図柄」を引き込んで停止させる場合も、当選役図柄を引き込んで停止させる場合と同じ大きさの引き込み範囲を用いて各リールの停止制御が行われるが、ストップボタン２１ａ〜２１ｃが操作されたタイミングによらず常に「ブランク図柄」が引き込み範囲内に存在するように各リール１５ａ〜１５ｃの図柄の配列パターンを決定している。すなわち、１つの「ブランク図柄」とこの「ブランク図柄」の最も近くに配置される「ブランク図柄」との間隔が図柄５コマ分以上離れないように各リール１５ａ〜１５ｃに「ブランク図柄」を配列している。これにより、制御部３４は、ストップボタン２１ａ〜２１ｃが操作されたタイミングによらず所望の入賞有効ライン１６上に「ブランク図柄」を引き込んで停止できる。
【００３２】
以下、上記構成による本発明の作用について説明する。スロットマシン１１では、メダルのベット後にスタートレバー２０を操作することで遊技が開始される。遊技が開始されると当選役抽選が実行され、各リール１５ａ〜１５ｃが一斉に回転を開始する。この後、ストップボタン２１ａ〜２１ｃを押下することで対応するリールを停止させることができる。
【００３３】
スロットマシン１１では、ボーナス役「赤７」が当選している場合、ボーナス役「赤７」が入賞するように、すなわち、図柄「赤７」がいずれかの入賞有効ライン１６上に並べて停止されるようにリールの停止制御が行われる。そして、全てのリールが停止した際にいずれかの入賞有効ライン１６上に図柄「赤７」が揃うとボーナス役「赤７」が入賞となり、第１ボーナスモードへと移行する。
【００３４】
また、スロットマシン１１では、ボーナス役「赤７」が当選しているにもかかわらず入賞させることができない場合、「ブランク図柄」が上段の入賞有効ライン１６上に停止される。なお、このとき上段の入賞有効ライン１６上に停止される「ブランク図柄」の数は、下記Ａ〜Ｃの３つの場合でそれぞれ異なるので、以下、これら３つの場合について場合を分けて説明する。
Ａ：  １つ目のリールを停止させる際に図柄「赤７」が引き込み範囲内に存在しない場合。
Ｂ：  １つ目のリールを停止させる際に図柄「赤７」が引き込み範囲に存在し、かつ、２つ目のリールを停止させる際に図柄「赤７」が引き込み範囲内に存在しない場合。
Ｃ：  １つ目と２つ目のリールを停止させる際に図柄「赤７」が引き込み範囲に存在し、かつ、３つ目のリールを停止させる際に図柄「赤７」が引き込み範囲内に存在しない場合。
【００３５】
初めに、上記Ａの場合について説明する。この場合、１つ目のリールが、上段の入賞有効ライン１６上に「ブランク図柄」を表示した状態で停止される。そして、１つ目のリールが停止した時点でボーナス役「赤７」の非入賞が確定するので、２つ目、３つ目のリールも上段の入賞有効ライン１６上に「ブランク図柄」を表示した状態で停止される。これにより、全てのリールが停止したときには、上段の入賞有効ライン１６上に３つの「ブランク図柄」が並べて表示された状態となる。
【００３６】
次に、上記Ｂの場合について説明する。この場合、１つ目のリールが、いずれかの入賞有効ライン１６上に図柄「赤７」を表示した状態で停止され、２つ目のリールが、上段の入賞有効ライン１６上に「ブランク図柄」を表示した状態で停止される。そして、２つ目のリールが停止した時点でボーナス役「赤７」の非入賞が確定するので、３つ目のリールも上段の入賞有効ライン１６上に「ブランク図柄」を表示した状態で停止される。これにより、全てのリールが停止したときには、上段の入賞有効ライン１６上に２つの「ブランク図柄」が表示された状態となる。
【００３７】
最後に、上記Ｃの場合について説明する。この場合、１つ目と２つ目のリールが、いずれか共通の入賞有効ライン１６上に図柄「赤７」を表示した状態で停止される。そして、３つ目のリールが、上段の入賞有効ライン１６上に「ブランク図柄」を表示した状態で停止される。これにより、全てのリールが停止したときには、上段の入賞有効ライン１６上に１つの「ブランク図柄」が表示された状態となる。
【００３８】
このように、スロットマシン１１では、ボーナス役「赤７」が当選すると、ボーナス役「赤７」が入賞しない場合であっても、上段の入賞有効ライン１６上に少なくとも１つの「ブランク図柄」が停止される。これにより、遊技者は、ボーナス役「赤７」が当選していることを知ることができる。
【００３９】
同様に、スロットマシン１１では、ボーナス役「青７」が当選している場合、ボーナス役「青７」が入賞しない場合であっても中段の入賞有効ライン１６上に少なくとも１つの「ブランク図柄」が停止される。また、スロットマシン１１では、ボーナス役「ＢＡＲ」が当選している場合、ボーナス役「ＢＡＲ」が入賞しない場合であっても下段の入賞有効ライン１６上に少なくとも１つの「ブランク図柄」が停止される。これにより、スロットマシン１１によれば、ボーナス役が当選しているか否か、及び、当選しているボーナス役の種類を知ることができる。
【００４０】
なお、本発明は、「ブランク図柄」がいずれの入賞有効ライン上に停止するかによって、当選しているボーナス役の種類を報知できればよいので、細部の構成は上記実施形態に限定されず適宜変更できる。例えば、当選したことを報知するボーナス役の種類や数、及び、このボーナス役が入賞した際の機能は自由に設定できるので、上述した「赤７」、「青７」、「ＢＡＲ」以外のボーナス役を設け、このボーナス役が当選したことを報知してもよい。
【００４１】
また、上記実施形態では、横３本の入賞有効ラインのうち、いずれの入賞有効ライン上に「ブランク図柄」を停止させるかによって、当選したボーナス役の種類を報知する例で説明をしたが本発明はこれに限定されるものではない。例えば、斜めの入賞ライン上に「ブランク図柄」を停止させることによって、当選したボーナス役の種類を報知してもよい。
【００４２】
さらに、上記実施形態では、横３本と斜め２本からなる５本の入賞有効ラインを設ける例で説明をしたが、入賞有効ラインの種類や本数はこれに限定されるものではない。例えば、第１リールの上段、第２リールの中段、第３リールの上段を結ぶＶ時型の入賞有効ラインを設けて、この入賞有効ライン上に「ブランク図柄」を引き込んで停止させることによって当選したボーナス役を報知してもよい。
【００４３】
また、上記実施形態では、ストップボタンが操作されたタイミングによらず常に「ブランク図柄」が引き込み範囲内に存在するように各リールを構成する例で説明をしたが、本発明はこれに限定されるものではない。ストップボタンが操作されたタイミングによって「ブランク図柄」が引き込み範囲内に存在する場合と存在しない場合とが発生するように、各リールを構成してもよい。この場合、１つの「ブランク図柄」とこの「ブランク図柄」の最も近く配置する「ブランク図柄」との間隔が図柄５コマ分以上離れている箇所が少なくとも１つ存在するようにリールに各図柄を配列すればよい。もちろん、一部のリールを、常に「ブランク図柄」が引き込み範囲内に存在するように構成し、残りのリールを、「ブランク図柄」が引き込み範囲内に存在する場合と存在しない場合とが発生するように構成してもよい。
【００４４】
さらに、上記実施形態では、「ブランク図柄」を停止させる入賞有効ラインの種類によって、当選しているボーナス役の種類を報知する例で説明をしたが、本発明はこれに限定されるものではない。例えば、「ブランク図柄」を停止させる入賞有効ラインの本数によって、当選しているボーナス役の種類を報知してもよい。
【００４５】
この場合、例えば、各リールに、１つの「ブランク図柄」を単独で配置した第１ゾーンと、２つの「ブランク図柄」を並べて配置した第２ゾーンと、３つの「ブランク図柄」を並べて配置した第３ゾーンとを設ける。そして、例えば、「赤７」が当選しているときは、第１ゾーンの「ブランク図柄」を１本の入賞有効ライン上に停止させ、「青７」が当選しているときは、第２ゾーンの「ブランク図柄」を２本の入賞有効ライン上に停止させ、「ＢＡＲ」が当選しているときは、第３ゾーンの「ブランク図柄」を３本の入賞有効ライン上に停止させるといったことが考えられる。もちろん、２つの「ブランク図柄」の間に他の図柄を１つ配置したゾーンを設け、上段と下段の２本の入賞有効ライン上に「ブランク図柄」を停止させることによってボーナス役が当選したことを報知してもよい。また、「ブランク図柄」を停止させる入賞有効ラインの種類と本数との組合せによって、当選しているボーナス役の種類を報知してもよい。
【００４６】
また、例えば、複数種類の「ブランク図柄」を設け、当選したボーナス役に対応する種類の「ブランク図柄」を入賞有効ライン上に停止させてもよい。こうすれば、遊技者は、入賞有効ライン上に引き込まれて停止された「ブランク図柄」の種類から当選したボーナス役の種類を知ることができる。もちろん、「ブランク図柄」の種類と、この「ブランク図柄」を停止させる入賞有効ラインの種類や本数との組合せにより、当選したボーナス役の種類を報知してもよい。
【００４７】
さらに、上記実施形態では、ブランク図柄が少なくとも１つ停止されることで、ボーナス役が当選していることが報知される例で説明をしたが、本発明はこれに限定されるものではない。いずれかの入賞有効ライン上に２つ以上のブランク図柄が停止されたときにのみボーナス役が当選していることが報知されるようにしてもよい。
【図面の簡単な説明】
【００４８】
【図１】スロットマシンの外観を示す斜視図である。
【図２】スロットマシンの電気的な構成の概略を示すブロック図である。
【図３】ボーナス役「赤７」が当選した場合のリールの停止制御の流れを示すフローチャートである。
【図４】ボーナス役「青７」が当選した場合のリールの停止制御の流れを示すフローチャートである。
【図５】ボーナス役「ＢＡＲ」が当選した場合のリールの停止制御の流れを示すフローチャートである。
【符号の説明】
【００４９】
１１  スロットマシン（遊技機）
１５ａ〜１５ｃ  リール
１６  入賞有効ライン
２１ａ〜２１ｃ  ストップボタン
３４  制御部（停止制御手段）
３７  当選役決定部（当選役決定手段）
【図１】
0005331390.tif 000002
【図２】
0005331390.tif 000003
【図３】
0005331390.tif 000004
【図４】
0005331390.tif 000005
【図５】
0005331390.tif 000006